(57)【要約】【課題】Ｇ．ｆａｓｔによる通信を、ＩＳＤＮと共存して同時に使用することができるようにする。【解決手段】複数の宅が存在する建物内でＩＳＤＮと共存し得るＧ．ｆａｓｔ通信システムであって、建物に備えられたＧ．ｆａｓｔ集合装置と、宅に設けられたＧ．ｆａｓｔ宅内装置と、建物内のメタル配線であって、ＩＳＤＮの通信とＧ．ｆａｓｔの通信とに共用され得る中配線と、を備え、Ｇ．ｆａｓｔ集合装置とＧ．ｆａｓｔ宅内装置とは中配線を介して互いにＧ．ｆａｓｔで通信し、ハンドシェークトーンは３２０ｋＨｚ以上の周波数である。【選択図】図１
2018191211.tif 000002
【特許請求の範囲】
【請求項１】
複数の宅が存在する建物内でＩＳＤＮと共存し得るＧ．ｆａｓｔ通信システムであって、
前記建物に備えられたＧ．ｆａｓｔ集合装置と、
前記宅に設けられたＧ．ｆａｓｔ宅内装置と、
前記建物内のメタル配線であって、ＩＳＤＮの通信とＧ．ｆａｓｔの通信とに共用され得る中配線と、を備え、
前記Ｇ．ｆａｓｔ集合装置と前記Ｇ．ｆａｓｔ宅内装置とは前記中配線を介して互いにＧ．ｆａｓｔで通信し、ハンドシェークトーンは３２０ｋＨｚ以上の周波数であるＧ．ｆａｓｔ通信システム。
【請求項２】
前記ハンドシェークトーンは、ＶＤＳＬのハンドシェークで使用する周波数である請求項１に記載のＧ．ｆａｓｔ通信システム。
【請求項３】
前記Ｇ．ｆａｓｔ集合装置は、ＶＤＳＬの通信機能も併有し、前記Ｇ．ｆａｓｔ集合装置とハンドシェークしようとする宅内装置は、自身がＧ．ｆａｓｔ宅内装置であるかＶＤＳＬ宅内装置であるかの情報を前記Ｇ．ｆａｓｔ集合装置に提供する請求項１又は請求項２に記載のＧ．ｆａｓｔ通信システム。
【請求項４】
前記建物内における前記中配線の局舎側端部には、ＩＳＤＮ信号を通過させＧ．ｆａｓｔ信号を遮断するローパスフィルタが設けられている請求項１〜請求項３のいずれか１項に記載のＧ．ｆａｓｔ通信システム。
【請求項５】
複数の宅が存在する建物内でＩＳＤＮと共存し得るＧ．ｆａｓｔ集合装置であって、
Ｇ．ｆａｓｔの通信とＩＳＤＮの通信とに共用され得る中配線を介して、前記宅に設けられたＧ．ｆａｓｔ宅内装置とＧ．ｆａｓｔで通信し、前記Ｇ．ｆａｓｔ宅内装置とのハンドシェークトーンは３２０ｋＨｚ以上の周波数であるＧ．ｆａｓｔ集合装置。
【請求項６】
複数の宅が存在する建物内でＩＳＤＮと共存し得るＧ．ｆａｓｔ宅内装置であって、
Ｇ．ｆａｓｔの通信とＩＳＤＮの通信とに共用され得る中配線を介して、前記建物に備えられたＧ．ｆａｓｔ集合装置とＧ．ｆａｓｔで通信し、前記Ｇ．ｆａｓｔ集合装置とのハンドシェークトーンは３２０ｋＨｚ以上の周波数であるＧ．ｆａｓｔ宅内装置。
【請求項７】
複数の宅が存在する建物内でＩＳＤＮと共存して使用されるＧ．ｆａｓｔ通信方法であって、
ＩＳＤＮで局舎との通信に使用するメタル配線のうち前記建物内でＧ．ｆａｓｔの通信にも使用され得る中配線を介して、Ｇ．ｆａｓｔ集合装置とＧ．ｆａｓｔ宅内装置とがハンドシェークトーンに３２０ｋＨｚ以上の周波数を使用して互いにハンドシェークし、
ハンドシェーク成立後、前記中配線を介してＧ．ｆａｓｔで本通信する、
Ｇ．ｆａｓｔ通信方法。
【発明の詳細な説明】
【技術分野】
【０００１】
本発明は、Ｇ．ｆａｓｔ通信システム、Ｇ．ｆａｓｔ集合装置、Ｇ．ｆａｓｔ宅内装置、及び、Ｇ．ｆａｓｔ通信方法に関する。
【背景技術】
【０００２】
近年のインターネットの利用拡大により、従来からある固定電話用の電話回線を用いた高速なデジタル通信技術が既に種々提案されている（例えば、特許文献１参照。）。また、光ファイバ通信の普及が進む一方で、既に敷設されている電話回線という通信インフラを有効利用することは、現実的な合理性がある。
【０００３】
例えば、集合住宅では、光ファイバを建物内の集合装置（ＣＯ：Central Office）まで引き込んだ後、既存の固定電話用のメタル配線を利用して各戸の宅内装置（ＣＰＥ：Customer Premises Equipment）に接続するＶＤＳＬ（Very high speed Digital Subscriber Line）技術が用いられている。また、近年、ＶＤＳＬよりさらに高速な伝送が可能な、Ｇ．ｆａｓｔ（ＩＴＵ−Ｔ  Ｇ．９７０１）が注目されている（例えば、非特許文献１参照。）。
【０００４】
一方、このような高速通信化が進む中で、既設の電話回線としては、伝統的なアナログ電話通信の他、ＩＳＤＮ（Integrated Services Digital Network）も依然として使用されている。
【先行技術文献】
【特許文献】
【０００５】
【特許文献１】特開２００６−１３５４１６号公報
【非特許文献】
【０００６】
【非特許文献１】「Ｇ．ｆａｓｔの標準化動向」ＮＴＴ技術ジャーナル２０１６年５月
【発明の概要】
【発明が解決しようとする課題】
【０００７】
しかしながら、例えば集合住宅においてＩＳＤＮとＧ．ｆａｓｔが共存することになると、以下の問題がある。
Ｇ．ｆａｓｔの通信装置は、本通信を行う前にハンドシェークの段階があり、その際にＩＴＵ−ＴのＧ．ｆａｓｔ（Ｇ．９７０１）で定められた周波数のハンドシェークトーンを使用することになっている。このハンドシェークトーンの周波数は、「Ａ４３」と「Ｂ４３」とがあり、それぞれ以下の周波数が規定されている。
【０００８】
「Ａ４３」
上り：３８．８１２５ｋＨｚ，７３．３１２５ｋＨｚ，１０７．８１２５ｋＨｚ
下り：１７２．５ｋＨｚ，２４１．５ｋＨｚ，２７６ｋＨｚ
【０００９】
「Ｂ４３」
上り：１５９．５６２５ｋＨｚ，１９４．０６２５ｋＨｚ，２２８．５６２５ｋＨｚ
下り：３１０．５ｋＨｚ，３７９．５ｋＨｚ，４１４ｋＨｚ
【００１０】
一方、ＩＳＤＮについては、日本では０〜３２０ｋＨｚの周波数帯域を使用しており、上記「Ａ４３」の全ての周波数、及び「Ｂ４３」の一部の周波数が、ＩＳＤＮの周波数帯域に入るので、Ｇ．ｆａｓｔのハンドシェークトーンがＩＳＤＮの通信に干渉を与えてしまうことがある。従って、ＩＳＤＮとＧ．ｆａｓｔとを同時に使用することはできない、ということになり、これでは、Ｇ．ｆａｓｔの導入の妨げになる。
【００１１】
かかる課題に鑑み、本発明は、Ｇ．ｆａｓｔによる通信が、ＩＳＤＮと共存して同時に使用できるようにすることを目的とする。
【課題を解決するための手段】
【００１２】
（Ｇ．ｆａｓｔ通信システム）
本発明の一表現に係るＧ．ｆａｓｔ通信システムは、複数の宅が存在する建物内でＩＳＤＮと共存し得るＧ．ｆａｓｔ通信システムであって、前記建物に備えられたＧ．ｆａｓｔ集合装置と、前記宅に設けられたＧ．ｆａｓｔ宅内装置と、前記建物内のメタル配線であって、ＩＳＤＮの通信とＧ．ｆａｓｔの通信とに共用され得る中配線と、を備え、前記Ｇ．ｆａｓｔ集合装置と前記Ｇ．ｆａｓｔ宅内装置とは前記中配線を介して互いにＧ．ｆａｓｔで通信し、ハンドシェークトーンは３２０ｋＨｚ以上の周波数である。
【００１３】
（Ｇ．ｆａｓｔ集合装置）
また、本発明の一表現に係るＧ．ｆａｓｔ集合装置は、複数の宅が存在する建物内でＩＳＤＮと共存し得るＧ．ｆａｓｔ集合装置であって、Ｇ．ｆａｓｔの通信とＩＳＤＮの通信とに共用され得る中配線を介して、前記宅に設けられたＧ．ｆａｓｔ宅内装置とＧ．ｆａｓｔで通信し、前記Ｇ．ｆａｓｔ宅内装置とのハンドシェークトーンは３２０ｋＨｚ以上の周波数である。
【００１４】
（Ｇ．ｆａｓｔ宅内装置）
また、本発明の一表現に係るＧ．ｆａｓｔ宅内装置は、複数の宅が存在する建物内でＩＳＤＮと共存し得るＧ．ｆａｓｔ宅内装置であって、Ｇ．ｆａｓｔの通信とＩＳＤＮの通信とに共用され得る中配線を介して、前記建物に備えられたＧ．ｆａｓｔ集合装置とＧ．ｆａｓｔで通信し、前記Ｇ．ｆａｓｔ集合装置とのハンドシェークトーンは３２０ｋＨｚ以上の周波数である。
【００１５】
（Ｇ．ｆａｓｔ通信方法）
また、本発明の一表現に係るＧ．ｆａｓｔ通信方法は、複数の宅が存在する建物内でＩＳＤＮと共存して使用されるＧ．ｆａｓｔ通信方法であって、ＩＳＤＮで局舎との通信に使用するメタル配線のうち前記建物内でＧ．ｆａｓｔの通信にも使用され得る中配線を介して、Ｇ．ｆａｓｔ集合装置とＧ．ｆａｓｔ宅内装置とがハンドシェークトーンに３２０ｋＨｚ以上の周波数を使用して互いにハンドシェークし、ハンドシェーク成立後、前記中配線を介してＧ．ｆａｓｔで本通信する。
【発明の効果】
【００１６】
本発明によれば、Ｇ．ｆａｓｔによる通信を、ＩＳＤＮと共存して同時に使用することができる。
【図面の簡単な説明】
【００１７】
【図１】電話局の局舎と、集合住宅との間での通信回線接続の一例を示す図である。
【図２】Ｇ．ｆａｓｔ集合装置及びＧ．ｆａｓｔ宅内装置が、通常の通信で使用する周波数帯域を示す図である。
【図３】ＩＳＤＮ宅内装置が、局舎との通信に使用するＩＳＤＮ信号の周波数（横軸）と強度（縦軸）を示す図である。
【図４】Ｇ．ｆａｓｔ集合装置の構成の一例を示すブロック図である。
【図５】Ｇ．ｆａｓｔ宅内装置の構成の一例を示すブロック図である。
【図６】Ｇ．ｆａｓｔ集合装置とＧ．ｆａｓｔ宅内装置との間でＩＴＵ−Ｔ  Ｇ．９９４．１の規定に基づいて実行される、本通信までのハンドシェーク手順を示す図である。
【図７】ＩＳＤＮ信号及び「Ｖ４３」のハンドシェークトーンの周波数（横軸）と強度（縦軸）を示す図である。
【図８】電話局の局舎と、集合住宅との間での通信回線接続の他の例を示す図である。
【発明を実施するための形態】
【００１８】
［実施形態の要旨］
本発明の実施形態の要旨としては、少なくとも以下のものが含まれる。
【００１９】
（１）これは、複数の宅が存在する建物内でＩＳＤＮと共存し得るＧ．ｆａｓｔ通信システムであって、前記建物に備えられたＧ．ｆａｓｔ集合装置と、前記宅に設けられたＧ．ｆａｓｔ宅内装置と、前記建物内のメタル配線であって、ＩＳＤＮの通信とＧ．ｆａｓｔの通信とに共用され得る中配線と、を備え、前記Ｇ．ｆａｓｔ集合装置と前記Ｇ．ｆａｓｔ宅内装置とは前記中配線を介して互いにＧ．ｆａｓｔで通信し、ハンドシェークトーンは３２０ｋＨｚ以上の周波数であるＧ．ｆａｓｔ通信システム、である。
【００２０】
このようなＧ．ｆａｓｔ通信システムでは、建物内の中配線をＩＳＤＮと共用することができる。また、Ｇ．ｆａｓｔ集合装置とＧ．ｆａｓｔ宅内装置との間でのハンドシェークトーンには、３２０ｋＨｚ以上の周波数を用いるので、ハンドシェーク時にＩＳＤＮへの通信の干渉を生じない。従って、Ｇ．ｆａｓｔによる通信を、ＩＳＤＮと共存して同時に使用することができる。
【００２１】
（２）また、（１）のＧ．ｆａｓｔ通信システムにおいて、例えば、前記ハンドシェークトーンは、ＶＤＳＬのハンドシェークで使用する周波数である。
この場合、ＶＤＳＬで使用する「Ｖ４３」の周波数は上り・下りとも、３２０ｋＨｚ以上であり、ＩＳＤＮへの通信の干渉を生じない。また、これにより、Ｇ．ｆａｓｔ集合装置とＶＤＳＬ宅内装置とのハンドシェークも可能である。
【００２２】
（３）また、（１）又は（２）のＧ．ｆａｓｔ通信システムにおいて、前記Ｇ．ｆａｓｔ集合装置は、ＶＤＳＬの通信機能も併有し、前記Ｇ．ｆａｓｔ集合装置とハンドシェークしようとする宅内装置は、自身がＧ．ｆａｓｔ宅内装置であるかＶＤＳＬ宅内装置であるかの情報を前記Ｇ．ｆａｓｔ集合装置に提供するようにしてもよい。
この場合のＧ．ｆａｓｔ集合装置は、Ｇ．ｆａｓｔ宅内装置及びＶＤＳＬ宅内装置のいずれとでも通信を行うことができるので、これらの通信方式が混在する集合住宅での使用に適する。
【００２３】
（４）また、（１）〜（３）のいずれかのＧ．ｆａｓｔ通信システムにおいて、例えば、前記建物内における前記中配線の局舎側端部には、ＩＳＤＮ信号を通過させＧ．ｆａｓｔ信号を遮断するローパスフィルタが設けられている。
この場合、中配線をＧ．ｆａｓｔ及びＩＳＤＮで共用しつつ、建物と局舎とを繋ぐメタル配線である外配線にはＧ．ｆａｓｔ信号もハンドシェークトーンも出て行かないようにすることができる。
【００２４】
（５）集合装置の観点からは、これは、複数の宅が存在する建物内でＩＳＤＮと共存し得るＧ．ｆａｓｔ集合装置であって、Ｇ．ｆａｓｔの通信とＩＳＤＮの通信とに共用され得る中配線を介して、前記宅に設けられたＧ．ｆａｓｔ宅内装置とＧ．ｆａｓｔで通信し、前記Ｇ．ｆａｓｔ宅内装置とのハンドシェークトーンは３２０ｋＨｚ以上の周波数であるＧ．ｆａｓｔ集合装置、である。
【００２５】
このようなＧ．ｆａｓｔ集合装置では、建物内の中配線をＩＳＤＮと共用することができる。また、Ｇ．ｆａｓｔ集合装置とＧ．ｆａｓｔ宅内装置との間でのハンドシェークトーンは、３２０ｋＨｚ以上の周波数を用いるので、ハンドシェーク時にＩＳＤＮへの通信の干渉を生じない。従って、Ｇ．ｆａｓｔによる通信を、ＩＳＤＮと共存して同時に使用することができる。
【００２６】
（６）宅内装置の観点からは、これは、複数の宅が存在する建物内でＩＳＤＮと共存し得るＧ．ｆａｓｔ宅内装置であって、Ｇ．ｆａｓｔの通信とＩＳＤＮの通信とに共用され得る中配線を介して、前記建物に備えられたＧ．ｆａｓｔ集合装置とＧ．ｆａｓｔで通信し、前記Ｇ．ｆａｓｔ集合装置とのハンドシェークトーンは３２０ｋＨｚ以上の周波数であるＧ．ｆａｓｔ宅内装置、である。
【００２７】
このようなＧ．ｆａｓｔ宅内装置では、建物内の中配線をＩＳＤＮと共用することができる。また、Ｇ．ｆａｓｔ集合装置とＧ．ｆａｓｔ宅内装置との間でのハンドシェークトーンは、３２０ｋＨｚ以上の周波数を用いるので、ハンドシェーク時にＩＳＤＮへの通信の干渉を生じない。従って、Ｇ．ｆａｓｔ宅内装置による通信を、ＩＳＤＮと共存して同時に使用することができる。
【００２８】
（７）方法の観点からは、複数の宅が存在する建物内でＩＳＤＮと共存して使用されるＧ．ｆａｓｔ通信方法であって、ＩＳＤＮで局舎との通信に使用するメタル配線のうち前記建物内でＧ．ｆａｓｔの通信にも使用され得る中配線を介して、Ｇ．ｆａｓｔ集合装置とＧ．ｆａｓｔ宅内装置とがハンドシェークトーンに３２０ｋＨｚ以上の周波数を使用して互いにハンドシェークし、ハンドシェーク成立後、前記中配線を介してＧ．ｆａｓｔで本通信する、Ｇ．ｆａｓｔ通信方法である。
【００２９】
このようなＧ．ｆａｓｔ通信方法によれば、建物内のメタル配線をＩＳＤＮと共用することができる。また、Ｇ．ｆａｓｔ集合装置とＧ．ｆａｓｔ宅内装置との間でのハンドシェークトーンは、１００ｋＨｚ以上の周波数を用いるので、ハンドシェーク時にＩＳＤＮへの通信の干渉を生じない。従って、Ｇ．ｆａｓｔによる通信を、ＩＳＤＮと共存して同時に使用することができる。
【００３０】
［実施形態の詳細］
以下、本発明の一実施形態に係るＧ．ｆａｓｔ通信システム（Ｇ．ｆａｓｔ集合装置、Ｇ．ｆａｓｔ宅内装置、Ｇ．ｆａｓｔ通信方法を含む。）について、図面を参照して説明する。
【００３１】
《Ｇ．ｆａｓｔ通信システムを含む通信システムの一例》
図１は、電話局の局舎１と、集合住宅１００との間での通信回線接続の一例を示す図である。図において、集合住宅１００内では、例えば、ＩＳＤＮによる通信と、Ｇ．ｆａｓｔによる通信とが混在している。なお、この図は簡素化して示しているが、実際には集合住宅１００内の多くの戸数に関与して、このような通信装置が存在している。
【００３２】
局舎１から敷設されたメタル配線である外配線２には、集合住宅１００内でローパスフィルタ３ａが接続されている。集合住宅１００内では、ローパスフィルタ３ａに、メタル配線である中配線４（図中の太線部分）が接続されている。中配線４は、複数種類の通信に利用される。例えば中配線４には、ハイパスフィルタ５ａ及び内配線（メタル配線）６を介してＧ．ｆａｓｔ集合装置７が接続され、ハイパスフィルタ５ｂ及び内配線（メタル配線）８を介してＧ．ｆａｓｔ宅内装置９が接続されている。Ｇ．ｆａｓｔ集合装置７は、例えば光ファイバ２０を介して、局舎１と高速通信が可能となっている。また、中配線４には、ローパスフィルタ３ｂ及び内配線（メタル配線）１０を介してＩＳＤＮ宅内装置１１が接続されている。
【００３３】
なお、時系列的には、例えば、先にＩＳＤＮ宅内装置１１が使用されており、その後、Ｇ．ｆａｓｔ集合装置７及びＧ．ｆａｓｔ宅内装置９が設けられることになる。また、Ｇ．ｆａｓｔ集合装置７及びＧ．ｆａｓｔ宅内装置９が設けられる際に、ハイパスフィルタ５ａ，５ｂ及びローパスフィルタ３ａ，３ｂが設けられる。
なお、ハイパスフィルタ５ａ及び５ｂはそれぞれ、Ｇ．ｆａｓｔ集合装置７及びＧ．ｆａｓｔ宅内装置９に内蔵することも可能である。また、ローパスフィルタ３ａはＧ．ｆａｓｔ集合装置７に、ローパスフィルタ３ｂはＧ．ｆａｓｔ宅内装置９に、それぞれ内蔵することも可能である。この場合、例えば、ハイパスフィルタ５ａ及びローパスフィルタ３ａは物理的にはＧ．ｆａｓｔ集合装置７の内部に存在し、ハイパスフィルタ５ｂ及びローパスフィルタ３ｂは物理的にはＧ．ｆａｓｔ宅内装置９の内部に存在していることになるが、回路接続の基本的な形としては、図１と同じである。
【００３４】
ここで、例えば、ローパスフィルタ３ａ，３ｂは、３２０ｋＨｚ以下の周波数の信号を通過させ、３２０ｋＨｚより高い周波数の信号は遮断する。逆に、ハイパスフィルタ５ａ，５ｂは、３２０ｋＨｚ以下の周波数の信号は遮断し、３２０ｋＨｚより高い周波数の信号を通過させる。
【００３５】
図２は、Ｇ．ｆａｓｔ集合装置７及びＧ．ｆａｓｔ宅内装置９が、通常の通信で使用する周波数帯域を示す図である。Ｇ．ｆａｓｔでは、２．２ＭＨｚ〜１０６ＭＨｚまでの周波数帯域を用いて、時分割複信（ＴＤＤ：Time Division Duplex）により通信が行われる。
【００３６】
図３は、ＩＳＤＮ宅内装置１１が、局舎１との通信に使用するＩＳＤＮ信号の周波数（横軸）と強度（縦軸）を示す図である。ＩＳＤＮで使用する周波数は、０〜３２０ｋＨｚであり、図中に点線で示すサイドローブ（ノイズ）が、３２０ｋＨｚ〜６４０ｋＨｚ、及び、６４０ｋＨｚより高い周波数にも存在する。一方、Ｇ．ｆａｓｔが使用する本通信の周波数は前述のように２．２ＭＨｚ（２２００ｋＨｚ）以上であり、サイドローブを考慮しても、ＩＳＤＮ信号との干渉は無い。
【００３７】
図１に戻り、Ｇ．ｆａｓｔ集合装置７とＧ．ｆａｓｔ宅内装置９とは中配線４を介して互いに、Ｇ．ｆａｓｔで通信を行うことができる。ハイパスフィルタ５ａ，５ｂの存在により、Ｇ．ｆａｓｔ集合装置７及びＧ．ｆａｓｔ宅内装置９には、Ｇ．ｆａｓｔ信号（２．２ＭＨｚ〜１０６ＭＨｚ）が届くが、ＩＳＤＮ信号（０〜３２０ｋＨｚ）は届かない。一方、ローパスフィルタ３ａの存在により、Ｇ．ｆａｓｔ信号は、集合住宅１００の外部の外配線２には出ていかない。また、ローパスフィルタ３ｂの存在により、ＩＳＤＮ宅内装置１１には、Ｇ．ｆａｓｔ信号は届かない。
【００３８】
《Ｇ．ｆａｓｔ集合装置の構成》
次に、図４は、Ｇ．ｆａｓｔ集合装置７の構成の一例を示すブロック図である。Ｇ．ｆａｓｔ集合装置７は、ＯＦＤＭ（Orthogonal Frequency Division Multiplexing：直交周波数分割多重方式）変調及び復調を行う通信装置である。
【００３９】
図において、上位ネットワークからの入力データは、入力データ処理部７０１において直並列変換により並列データに変換される。並列データは、変調器７０２においてサブキャリアごとの変調データとなる。サブキャリアごとの変調データには、逆高速フーリエ変換が施され、周波数領域のデータから時間領域のデータへと変換される。サブキャリアの周波数は、Ｇ．ｆａｓｔの２．２〜１０６［ＭＨｚ］の範囲内に、多数（例えば約２０００程度）離散的に存在している。
【００４０】
時間領域に変換されたデータは、並直列変換器７０３により直列データに変換され、Ｄ／Ａコンバータ７０４を経てアナログ信号となる。このアナログ信号はアンプ７０５で増幅され、ハイブリッド回路７０６を介して、Ｇ．ｆａｓｔ宅内装置に向けて送信される。
【００４１】
Ｇ．ｆａｓｔ宅内装置からの上り信号受信時は、ハイブリッド回路７０６及びアンプ７０７を経たアナログ信号がＡ／Ｄコンバータ７０８によりデジタル信号に変換され、さらに、直並列変換器７０９により、並列データに変換される。並列データには、復調器７１０において高速フーリエ変換が施され、時間領域から周波数領域のデータへと変換される。変換後のデータはサブキャリアごとに復調される。復調された並列データは、出力データ処理部７１１により直列データに変換され、出力データとなる。
【００４２】
また、Ｇ．ｆａｓｔ集合装置７には、制御部７１２及び記憶部７１３が設けられている。制御部７１２は、送受信のタイミング等の制御を行っている。
【００４３】
《Ｇ．ｆａｓｔ宅内装置の構成》
図５は、Ｇ．ｆａｓｔ宅内装置９の構成の一例を示すブロック図である。Ｇ．ｆａｓｔ宅内装置９は、Ｇ．ｆａｓｔ集合装置７と同様に、ＯＦＤＭ変調及び復調を行う通信装置である。
【００４４】
図において、パソコン等の情報処理端末からの入力データは、入力データ処理部９０１において直並列変換により並列データに変換される。並列データは、変調器９０２においてサブキャリアごとの変調データとなる。サブキャリアごとの変調データには、逆高速フーリエ変換が施され、周波数領域のデータから時間領域のデータへと変換される。サブキャリアの周波数は、Ｇ．ｆａｓｔの２．２〜１０６［ＭＨｚ］の範囲内に、多数（例えば約２０００程度）離散的に存在している。
【００４５】
時間領域に変換されたデータは、並直列変換器９０３により直列データに変換され、Ｄ／Ａコンバータ９０４を経てアナログ信号となる。このアナログ信号はアンプ９０５で増幅され、ハイブリッド回路９０６を介して、Ｇ．ｆａｓｔ集合装置に向けて送信される。
【００４６】
Ｇ．ｆａｓｔ集合装置からの下り信号受信時は、ハイブリッド回路９０６及びアンプ９０７を経たアナログ信号がＡ／Ｄコンバータ９０８によりデジタル信号に変換され、さらに、直並列変換器９０９により、並列データに変換される。並列データには、復調器９１０において高速フーリエ変換が施され、時間領域から周波数領域のデータへと変換される。変換後のデータはサブキャリアごとに復調される。復調された並列データは、出力データ処理部９１１により直列データに変換され、出力データとなる。
【００４７】
また、Ｇ．ｆａｓｔ宅内装置９には、制御部９１２及び記憶部９１３が設けられている。制御部９１２は、送受信のタイミング等の制御を行っている。
【００４８】
《Ｇ．ｆａｓｔにおけるハンドシェーク》
図６は、Ｇ．ｆａｓｔ集合装置とＧ．ｆａｓｔ宅内装置との間でＩＴＵ−Ｔ  Ｇ．９９４．１の規定に基づいて実行される、本通信までのハンドシェーク手順を示す図である。このようなハンドシェーク手順は、新規にＧ．ｆａｓｔ宅内装置をセットアップするときや、何らかの原因で、既存の関係のリセットが行われた場合に実行される。
【００４９】
図において、まず、ハンドシェークの段階（Ｓ１）では、Ｇ．ｆａｓｔ宅内装置から、自身が、Ｇ．ｆａｓｔに対応していることを示すリスト（Capability list）をＧ．ｆａｓｔ集合装置に送信する。これを受信したＧ．ｆａｓｔ集合装置も、自身が、Ｇ．ｆａｓｔに対応していることを示すリストをＧ．ｆａｓｔ宅内装置に送信する。これにより、Ｇ．ｆａｓｔ集合装置と、Ｇ．ｆａｓｔ宅内装置との間で、ハンドシェークが成立する。なお、Ｇ，ｆａｓｔ集合装置は、ＶＤＳＬの通信機器に代わる上位機種であるため、上位互換性があり、従って、ＶＤＳＬ（ＩＴＵ−Ｔ  Ｇ．９９３．２）にも対応している。
【００５０】
続いて、チャネル・ディスカバリ（Ｓ２）、トレーニング（Ｓ３）、チャネル・アナリシス及びエクスチェンジ（Ｓ４）の各段階があり、Ｇ．ｆａｓｔ本通信が可能となる（Ｓ５）。
【００５１】
Ｇ．ｆａｓｔ集合装置及びＧ．ｆａｓｔ宅内装置はハンドシェークの際のハンドシェークトーンとして、ＶＤＳＬのハンドシェークで使用する「Ｖ４３」を、使用する。「Ｖ４３」を使用することにより、Ｇ．ｆａｓｔ集合装置とＶＤＳＬ宅内装置とのハンドシェークも可能である。ＶＤＳＬからＧ．ｆａｓｔへの移行段階においては、Ｇ．ｆａｓｔへの早期切り替えを望むユーザもいれば、ＶＤＳＬの継続使用を望むユーザもいる。従って、Ｇ．ｆａｓｔ集合装置が、Ｇ．ｆａｓｔ宅内装置のみならずＶＤＳＬ宅内装置ともハンドシェークでき、本通信もできることは実用的に有意義である。
【００５２】
「Ｖ４３」とは、以下の周波数である。
上り：４０７１ｋＨｚ，４１９１．７５ｋＨｚ，４３０８．１８７５ｋＨｚ
下り：１１０８．３１２５ｋＨｚ，１６５１．６８７５ｋＨｚ，２２０３．６８７５ｋＨｚ
このように、「Ｖ４３」の周波数は、上り・下り共に、３２０ｋＨｚ以上の周波数である。
【００５３】
図７は、ＩＳＤＮ信号及び上記「Ｖ４３」のハンドシェークトーンの周波数（横軸）と強度（縦軸）を示す図である。図示のように、ハンドシェークトーンは、ＩＳＤＮ信号の上限である３２０ｋＨｚよりも高い周波数となる。従って、Ｇ．ｆａｓｔのハンドシェークトーンが、ＩＳＤＮ信号に干渉することは無い。なお、ハンドシェークトーンは、サイドローブの上限の周波数ｆｈ（図７では９６０ｋＨｚ）以上の周波数であることが好ましいとも言えるが、実際には、サイドローブは強度がＩＳＤＮ信号より低下することもあって、サイドローブの帯域（３２０ｋＨｚ以上）内の周波数でもハンドシェークトーンに使える可能性がある。また、ハンドシェークトーンは、ハイパスフィルタ５ａ，５ｂを通過するが、ローパスフィルタ３ａ，３ｂを通過できない。従って、ハンドシェークトーンは、集合住宅１００の外の外配線２に出て行かない。すなわち、中配線４をＧ．ｆａｓｔ及びＩＳＤＮで共用しつつ、集合住宅１００と局舎１とを繋ぐ外配線２にはＧ．ｆａｓｔ信号もハンドシェークトーンも出ないようにすることができる。
【００５４】
《まとめ》
以上のように、図１のＧ．ｆａｓｔ通信システムでは、集合住宅１００内の中配線４をＩＳＤＮと共用することができる。また、Ｇ．ｆａｓｔ集合装置７とＧ．ｆａｓｔ宅内装置９との間でのハンドシェークトーンには、３２０ｋＨｚ以上の「Ｖ４３」の周波数を用いるので、ハンドシェーク時にＩＳＤＮへの通信の干渉を生じない。従って、Ｇ．ｆａｓｔによる通信を、ＩＳＤＮと共存して同時に使用することができる。
【００５５】
《Ｇ．ｆａｓｔ通信システムを含む通信システムの他の例》
前述のＶＤＳＬ宅内装置を含む通信システムについて例示する。
図８は、電話局の局舎１と、集合住宅１００との間での通信回線接続の他の例を示す図である。図１との違いは、中配線４に、ハイパスフィルタ５ｃ及び内配線１２を介してＶＤＳＬ宅内装置１３が接続されている点である。ハイパスフィルタ５ｃは、ハイパスフィルタ５ａ，５ｂと同様な物である。その他の構成は、図１と同様である。
【００５６】
この場合、ＶＤＳＬ宅内装置１３は、Ｇ．ｆａｓｔ集合装置７とハンドシェークを行うに当たり、自身が、ＶＤＳＬ宅内装置であるという情報をＧ．ｆａｓｔ集合装置７に提供する（図６のリスト送信）。これに基づいて、Ｇ．ｆａｓｔ集合装置７は、ＶＤＳＬ宅内装置１３とは、ＶＤＳＬでの通信を行う。
【００５７】
すなわち、Ｇ．ｆａｓｔ集合装置７は、ＶＤＳＬの通信機能も併有し、Ｇ．ｆａｓｔ集合装置７とハンドシェークしようとする宅内装置は、自身がＧ．ｆａｓｔ宅内装置であるかＶＤＳＬ宅内装置であるかの情報をＧ．ｆａｓｔ集合装置７に提供する。この場合のＧ．ｆａｓｔ集合装置７は、Ｇ．ｆａｓｔ宅内装置９及びＶＤＳＬ宅内装置１３のいずれとでも通信を行うことができるので、これらの通信方式が混在する集合住宅１００での使用に適する。
【００５８】
《補記》
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００５９】
１  局舎
２  外配線
３ａ，３ｂ  ローパスフィルタ
４  中配線
５ａ，５ｂ，５ｃ  ハイパスフィルタ
６  内配線
７  Ｇ．ｆａｓｔ集合装置
８  内配線
９  Ｇ．ｆａｓｔ宅内装置
１０  内配線
１１  ＩＳＤＮ宅内装置
１２  内配線
１３  ＶＤＳＬ宅内装置
２０  光ファイバ
１００  集合住宅
７０１  入力データ処理部
７０２  変調器
７０３  並直列変換器
７０４  Ｄ／Ａコンバータ
７０５  アンプ
７０６  ハイブリッド回路
７０７  アンプ
７０８  Ａ／Ｄコンバータ
７０９  直並列変換器
７１０  復調器
７１１  出力データ処理部
７１２  制御部
７１３  記憶部
９０１  入力データ処理部
９０２  変調器
９０３  並直列変換器
９０４  Ｄ／Ａコンバータ
９０５  アンプ
９０６  ハイブリッド回路
９０７  アンプ
９０８  Ａ／Ｄコンバータ
９０９  直並列変換器
９１０  復調器
９１１  出力データ処理部
９１２  制御部
９１３  記憶部
【図１】
2018191211.tif 000003
【図２】
2018191211.tif 000004
【図３】
2018191211.tif 000005
【図４】
2018191211.tif 000006
【図５】
2018191211.tif 000007
【図６】
2018191211.tif 000008
【図７】
2018191211.tif 000009
【図８】
2018191211.tif 000010